(57)【要約】      （修正有）【課題】側面からの入射光を隅部まで均一に配光できる導光板を備えたサイドライト型面光源装置を提供することにある。【解決手段】光源３と導光板２を有するサイドライト型面光源装置であって、導光板２の入射面２Ａの両端領域２Ｅのみに、中央領域２Ｆから離間するに従って大きくなる突起１２を設ける。突起１２は外部に対して面状に突出しており、突起１２の形状を、入射面２Ａと直交する方向において断面が略半円形状とすることで、対向する光源３からの出射光を導光板２の隅部へと効率よく拡散でき、相対的に均一に発光可能なサイドライト型面光源装置とできる。【選択図】図１
2008103162.tif 000002
【特許請求の範囲】
【請求項１】
光源(3)と、
透光性を有する略平板状の板の一側面であって、前記光源(3)と対向し、前記光源(3)からの光を前記板内へ入射させる入射面(2A)と、
前記入射面(2A)に連続し、前記入射面(2A)より入射した光を前記板の外部へ出射する発光面(2C)と、
前記入射面(2A)に連続し、かつ前記発光面(2C)と対向しており、前記入射面(2A)から入射された光を、前記発光面(2C)側へ反射させる反射面(2B)と、
を有する導光板(2)と、
を備えており、
前記入射面(2A)は、その長手方向に、複数の突起(12)が設けられた両端領域(2E)と、ほぼ平坦な中央領域(2F)とを有し、
前記両端領域(2E)に設けられた各々の突起の頂点は、前記中央領域(2F)の平坦面の延長面上にあり、
光入射方向において、前記突起(12)の頂点から突起の立ち上げ部までの突起の深さ(12D)は、前記入射面の中央領域(2F)から離間するに従って大きくなることを特徴とするサイドライト型面光源装置。
【請求項２】
請求項１に記載のサイドライト型面光源装置であって、
前記突起(12)を形成する面の表面積が、前記入射面(2A)の中央領域(2F)から離間するに従って大きくなることを特徴とするサイドライト型面光源装置。
【請求項３】
請求項１または２に記載のサイドライト型面光源装置であって、
前記突起(12)は外部に対して曲面状に突出しており、
前記突起(12)は、前記入射面(2A)と直交方向における断面形状が略半円形状であり、
前記断面形状の直径が、前記入射面(2A)の中央領域(2F)から離間するに従って大きくなることを特徴とするサイドライト型面光源装置。
【請求項４】
請求項１〜３のいずれか一に記載のサイドライト型面光源装置であって、
前記光源(3)が複数の半導体発光素子を各々離間してほぼ直線上に配置してなることを特徴とするサイドライト型面光源装置。
【発明の詳細な説明】
【技術分野】
【０００１】
本発明は、面光源装置に関し、特にサイドライト型面光源装置に関するものである。
【背景技術】
【０００２】
近年、パーソナルコンピュータ向けモニターや薄型ＴＶ等の表示装置として透過型の液晶表示装置が多用されている。このような透過型液晶表示装置では、通常、液晶素子の背面に面状の照明装置、即ち面光源装置が設けられている。面光源装置は光源の配置形態により、平面表示装置の真下に設けられた多数のランプが光を液晶パネルに直接照射する直下発光型と、導光板の側面側に設けられたランプが光を照射して液晶パネルに伝達するサイドライト型とに分類される。
【０００３】
具体的に、サイドライト型面光源装置では、発光ダイオード(LED ：Light Emitting Diode)等の点状、或いは冷陰極蛍光ランプ(CCFL：Cold Cathode Fluorescent Lamp)等の棒状光源でなる光源を、板状の導光板の側方に配置する。この光源より出射される照明光を導光板の端面より導光板に入射し、さらにこの照明光を導光板でもって屈折して、導光板の平面より光出射面側へと導光させる構造となる。したがって、側方かつ狭小領域からの光源を、効率よく光出射面側へと導光できる導光板の開発が進められている（特許文献１）。
【０００４】
従来のサイドライト型面光源装置の一部斜視図を図７に示す。このサイドライト型面光源装置は、側方からの光源１０８を隅部まで進行させるよう、導光板１０１の入射面１０１Ａに、同じサイズの突起１０２が複数形成されてなる。突起１０２は、矢印により拡大して示すように、入射面１０１Ａの両端部に繰り返し形成され、その形状は断面三角形状である。さらに、導光板１０１の出斜面１０１Ｃにおいても、入射面１０１Ａと当接するコーナー領域に、断面三角形状の突起１０３が繰り返し形成される。この突起１０３は、コーナーより離間するに従って徐々に深さが浅くなるように形成される。
【０００５】
入射面１０１Ａの隅部に突起を繰り返し形成することで、平坦な面により出射面を構成した場合には全反射されていた成分をも効率よく出射することができ、これにより隅部における輝度レベルを増大させることができる。また、出射面１０１Ｃの突起１０３の深さを徐々に浅くなるように形成したことにより、突起を形成したこのコーナーと、他の領域との境界を知覚困難にして、出射面の違和感を防止することができる。
【０００６】
しかしながら、上記のような構成を備える導光板１０１では、入射面１０１Ａ側の突起形状が断面三角形状であるため、配光ムラが生じる虞があった。図８は、導光板１０１を上面側から見た一部拡大平面図である。図８に示すように、突起１０２付近に光源を配置した場合、光源１０８からの光は入射面１０１Ａ側へとほぼ垂直に入射される。隣り合わせの突起１０２の間に形成される奥まった空間、つまり三角形状の切り欠き部に入射された光は、突起１０２を形成する斜面１０２Ａ及び１０２Ｂによって、拡散方向へと屈折される。つまり光源１０８からの光の大部分は斜面１０２Ａ及び１０２Ｂにより２方向に分断されるため、突起の斜面近傍では輝度が高い。しかし一方で、三角形状の切り欠き部の頂点前方Ｄでは光が集光し難く、暗部が生じてしまう。したがって、光源１０８からの軌線が強調され光のムラが生じる問題があった。さらに、図７、８に示すように、光源１０８の両端近傍に照明光が出射されない領域１０８Ａが形成された場合、上記の形状を伴う入射面１０１Ａを介しても、隅部への配光量が不足する問題があった。また、上記の導光板１０１では、入射面１０１Ａと出射面１０１Ｃとの２面に突起加工を施す必要があり、コストがかかる上に加工が面倒で歩留まりを低下させる虞があった。さらに、出射面側の突起は外部から視認される可能性があり、意匠的な問題もあった。
【特許文献１】特開平１１−２３７６３３号公報
【発明の開示】
【発明が解決しようとする課題】
【０００７】
本発明は、従来のこのような問題点に鑑みてなされたものである。本発明の重要な目的は、側面からの入射光を隅部まで均一に配光できる導光板を備えたサイドライト型面光源装置を提供することにある。
【課題を解決するための手段及び発明の効果】
【０００８】
上記の目的を達成するために、本発明の第１のサイドライト型面光源装置は、光源と、透光性を有する略平板状の板の一側面であって、光源と対向し、光源からの光を板内へ入射させる入射面と、入射面に連続し、入射面より入射した光を板の外部へ出射する発光面と、入射面に連続し、かつ発光面と対向しており、入射面から入射された光を、発光面側へ反射させる反射面と、を有する導光板と、を備える。また、入射面は、その長手方向に、複数の突起が設けられた両端領域と、ほぼ平坦な中央領域とを有し、両端領域に設けられた各々の突起の頂点は、中央領域の平坦面の延長面上にあり、光入射方向において、突起の頂点から突起の立ち上げ部までの突起の深さは、入射面の中央領域から離間するに従って大きくなることを特徴とする。これにより光源からの光損失を低減しつつ、導光板の隅部までムラなく拡散できる。
【０００９】
また、本発明の第２のサイドライト型面光源装置は、突起を形成する面の表面積が、入射面の中央領域から離間するに従って大きくなることを特徴とする。これにより、入射面の端部ほど光が集まりやすくなり、光源からの光を導光板の隅部へと効率よく配光できる。
【００１０】
また、本発明の第３のサイドライト型面光源装置は、突起は外部に対して曲面状に突出しており、突起は、入射面と直交方向における断面形状が略半円形状であり、断面形状の直径が、入射面の中央領域から離間するに従って大きくなることを特徴とする。これにより光源からの光をムラなく配光できる。
【００１１】
また、本発明の第４のサイドライト型面光源装置は、光源が複数の半導体発光素子を各々離間してほぼ直線上に配置してなることを特徴とする。これにより直流信号により作動され、寿命が長く、作動温度範囲が広いサイドライト型面光源装置とできる。また、装置の薄型化が可能である。
【発明を実施するための最良の形態】
【００１２】
以下、本発明の実施の形態を図面に基づいて説明する。ただし、以下に示す実施の形態は、本発明の技術思想を具体化するための、サイドライト型面光源装置を例示するものであって、本発明は、サイドライト型面光源装置を以下のものに特定しない。なお特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【実施例】
【００１３】
（構造）
実施例のサイドライト型面光源装置１の分解斜視概略図を図１に示す。図２は、図１をＩＩ−ＩＩ’線で切り取って示す断面図である。このサイドライト型面光源装置１は、導光板２の側方に光源３としてＬＥＤ８を１４個一列に配置している。さらに、下方から、反射シート４、導光板２、光拡散シート５、光制御部材でなるプリズムシート６及び７の順に、上方へと積層して形成される。
【００１４】
（光源）
実施例の光源３は、直線上に並んだ複数のＬＥＤ８の周囲をリフレクター９で囲って形成され、リフレクター９の開口側より導光板２の側面（以下入射面と呼ぶ）２Ａに照明光を入射する。ここでリフレクター９は、入射光を正反射又は乱反射する例えばシート材により形成される。
【００１５】
（導光板）
図２に示すように、導光板２は、略板状であって、入射面２Ａと直交する方向における断面は楔型形状である。具体的に、導光板２は、図２において右側に進行するほど導光板２の厚さが薄くなるよう傾斜を帯びている。この導光板２は、透明部材でなる例えばアクリル（ＰＭＭＡ樹脂）を射出成形して断面楔型形状に形成される。また、入射面２Ａより光源３の照明光Ｌが入射されると、導光板２は、反射シート４側平面（以下反射面と呼ぶ）２Ｂと光拡散シート５側平面（以下発光面と呼ぶ）２Ｃとの間を繰り返し反射して照明光を伝搬し、この反射面２Ｂ及び発光面２Ｃにおける反射の際に、臨界角以下の成分を反射面２Ｂ及び発光面２Ｃより出射する。
【００１６】
図３に反射面２Ｂの平面図を示す。導光板の反射面２Ｂには光散乱面２Ｄが形成される。ここでこの光散乱面２Ｄは、図３に示すように、入射面２Ａ側より楔型先端に向かって光散乱の程度が順次増大するように、例えば炭酸マグネシウム、酸化チタン等を顔料にしてなる光散乱性のインク２Ｉを選択的に付着して形成される。なお光散乱面２Ｄは、光散乱性のインク２Ｉに代えて反射面２Ｂを部分的に梨地面（シボ面）に形成して作成される場合もある。この場合も同様に光散乱面２Ｄは、一定のピッチで、あるいはランダムに、例えば矩形状に梨地面の領域を形成し、入射面２Ａ側より楔型先端に向かって各矩形状領域の面積が増大するように形成される。これにより導光板２は、発光面２Ｃのほぼ全域において出射光の光量分布を均一化する。
【００１７】
このようにして照明光を散乱させるものの、導光板２は、基本的には、反射面２Ｂ及び発光面２Ｃとの間を繰り返し反射して照明光を伝搬しながら、斜面で反射する毎に出射面に対する照明光の入射角を低減し、このうち臨界角以下の成分を発光面２Ｃより出射するものである。従って発光面２Ｃより出射される照明光は、主たる出射方向が楔型形状の先端方向に傾いて形成される。
【００１８】
図１、２に示すプリズムシート６及び７は、導光板２の指向性を補正するために配置され、光拡散シート５は、出射光を拡散させると共に、発光面２Ｃ側より反射面２Ｂの光散乱面２Ｄが認識されないように、さらには照明光により照らし出される導光板２の各部の輝き、影等を目立たなくするように配置される。
【００１９】
すなわち光拡散シート５は、導光板２より出射される照明光を散乱して射出する。プリズムシート６及び７は、ポリカーボネート等の透光性のシート材で形成され、導光板２と対向する面とは逆側の面にプリズム面が形成される。このプリズム面は、一方向にほぼ平行に延長する断面三角形状の突起が繰り返されて形成され、この例の場合、導光板２側のプリズムシート６は、この突起が入射面２Ａとほぼ平行に延長するように、プリズムシート７は、この突起が入射面２Ａとほぼ直交する方向に延長するように配置される。
【００２０】
これによりプリズムシート６及び７は、この三角形状の突起の斜面で、出射光の主たる出射方向を発光面２Ｃの正面方向に補正する。なおプリズムシートとしては、両面にプリズム面を形成した構造のいわゆる両面プリズムシートを用いる場合もある。これによりこのサイドライト型面光源装置１では、ほぼ均一な板厚により導光板を形成した方式のサイドライト型面光源装置に比して、出射光を効率良く出射できるようになされている。
【００２１】
このような照明光の出射原理に係るサイドライト型面光源装置１において、反射シート４は、金属箔等でなるシート状の正反射部材、又は白色ＰＥＴフィルム等でなるシート状の乱反射部材により形成され、反射面２Ｂより漏れ出す照明光を反射して導光板２に再び入射させ、これにより照明光の利用効率を向上するようになされている。
【００２２】
（光源）
実施例では、導光板２の入射面２Ａに平行、かつ対向するよう、光源３としてＬＥＤ８が１４個均等に離間され、ほぼ直線状に配置される。ただし、ＬＥＤ８は入射面２Ａの長手方向において、その両隅には配置されていない。また、入射面２Ａと光源３との離間距離は小さい方が好ましい。導光板２と光源３との間の隙間を低減することで、この隙間より光源３からの光の一部が導光板２に入射されず外部へ漏れてしまうことを防げる。つまり導光板２への光の入光効率を高めることができる。また、光源３として使用するＬＥＤ８の種類は特に限定しないが、導光板２への実装方法、導光板２のサイズ、厚み等により決定すればよい。実施例では、配線基板への実装のし易さ、薄型化が可能な表面実装型を使用した。さらに、導光板２のサイズが小さいもの、あるいは薄型のバックライトが求められる場合は、ＬＥＤの発光面が配線基板の実装面に対して垂直になるように実装可能なパッケージや、あるいは出射光の主発光強度ピークが配線基板の実装面に平行な方向に観測されるように配置されるパッケージ等を備えたサイドビュー型の表面実装型ＬＥＤが好適である。また、導光板のサイズが大きい場合には、ＬＥＤの発光面が配線基板に対して平行になるよう実装されるパッケージや、あるいは出射光の主発光強度ピークが配線基板の実装面に垂直な方向に観測されるように配置されるパッケージ等を備えたトップビュー型の表面実装型ＬＥＤが好適である。
【００２３】
（導光板の入射面）
図１に示すように、ＬＥＤ８の有効発光領域ＡＲの端部から外側にかけて、入射面２Ａの両端部に突起１２が繰り返し形成される。突起１２は入射面２Ａの長手方向における中央領域２Ｆには形成されず、両端領域２Ｅに連続して設けられる。
【００２４】
実施例の導光板２では、並列された１４個のＬＥＤ８のうち、少なくとも両端の各３個のＬＥＤが対向する入射面の両端領域２Ｅに、複数の突起１２が形成される。突起１２はＬＥＤ８の有効発光領域ＡＲよりも外側、つまり入射面２Ａの両端隅部まで設けることができる。これによりＬＥＤ８からの出射光を導光板２の隅部まで配向できるが、突起１２の形成領域はこれに限定せず、有効発光領域ＡＲ内に対向する領域のみに設けられた突起１２が、十分に導光板２の隅部まで光を導光できる場合は、有効発光領域ＡＲより外側、つまり入射面２Ａの隅部まで、突起１２を設ける必要はない。
【００２５】
（突起の形状）
導光板２を、上側から見た一部拡大平面図を図４に示す。図１及び図４で示すように、実施例の導光板２に形成された突起１２は、入射面２Ａに垂直な方向において、その断面形状が略半円形状である。断面形状は略半円に限定しないが、例えば楕円形等、曲率を帯びたものが好適である。これにより、光源からの出射光を導光板２内へと均一に配光できる。実施例の各突起１２の曲率は全て一定であり、曲率Ｒ：０．１５としたが、各突起毎に曲率を変化させることも可能である。これにより入射される光の配向具合を、各突起間で変化させることもできる。
【００２６】
また、各々の突起１２の頂点は、入射面２Ａの突起が形成されていない中央領域２Ｆの延長面上にある。さらに、図４に示すように、各突起１２は、突起１２の頂点側であって突起を形成する面が、外部側、つまりＬＥＤ８側へ突出している。また、光入射方向において、突起１２の頂点から突起の立ち上げ部までの突起の深さ１２Ｄは、入射面２Ａの中央領域２Ｆから離間するに従って大きくなる。さらに、光入射方向に垂直な方向（図４における左右方向）において、突起１２の幅１２Ｗも、入射面２Ａの中央領域２Ｆから離間するに従って大きくなる。よって突起のサイズが入射面２Ａの端部ほど大きくなり、受光可能な表面積及び屈折率も大きくなる。つまり、端部ほど光源３からの出射光を導光板２の隅部へと拡散でき、ひいては輝度が均一な導光板２となる。ただし、全ての突起１２のサイズを、両隅部まで連続して拡大する必要はなく、一部の突起１２では、隣接する突起１２と同じサイズとすることもできる。これにより突起１２の加工がしやすくなる。なお、実施例における入射面の突起１２の形状及びサイズは、中央領域２Ｆを境にして左右（図１における左右）対称である。
【００２７】
具体的に、実施例では、入射面２Ａの一方の端部領域２Ｅに、４０個の突起１２を連続して設け、さらに他方の端部領域２Ｅにも対称に突起を形成することで、入射面２Ａ全体では合計８０個の突起を設けた。また、入射面２Ａのフラットな中央部２Ｆに最寄りの突起１２の幅１２Ｗを０．１ｍｍとし、これを基準の突起として、隣接する突起の幅１２Ｗを順に０．００５ｍｍずつ大きくした。基準の突起１２から４０個目の突起の幅１２Ｗは０．３ｍｍとなり、これ以降の突起に関しては同じサイズとし、さらに２４個並列させた。
【００２８】
上記の形状を備える導光板２は、射出成形により得られる。或いは、入射面に凹凸形状を伴わない導光板２に切削加工を施して突部を形成しても良い。また、プリズム部材等で突部領域のみを形成し、これをフラットな入射面に装着することも可能である。
【００２９】
（光の進行方法）
以上のような入射面２Ａの構造によって生じる光の拡散について図４を用いて説明する。ただし、図４では光の進行方向の一例を説明するため、導光板２と光源３との離間距離が誇張して図示されているのであって、両者の配置間隔を忠実に再現したものではない。光源３からの出射光は、対向する入射面２Ａ側へと進行する。入射面２Ａの中央領域２Ｆには突起１２が形成されておらずフラットであるため、ＬＥＤ８の発光面とほぼ隙間なく密接できる。したがってＬＥＤ８からの出射光はほぼ光損失されることなく、中央領域２Ｆへと高い入光効率で進行できる。また、出射光は中央領域２Ｆに対してほぼ垂直に入光され、導光板２内を直進する。これにより導光板２の中央領域の輝度を高めることができる。
【００３０】
また、図４に示すように、ＬＥＤ８からの出射光のうち、入射面２Ａの両端領域２Ｅに備わる突起１２へと進行した光は、突起１２の曲面により屈折される。突起１２は曲面であるため表面の傾斜角度は一定でない。よって入射光の屈折の度合いは、光と曲面との当接位置により変化し、換言すれば広範囲に、かつ均一に配光される。具体的に、光が当接される突起１２の曲面において、傾斜の角度が大きいほど光の屈折率が高い。したがって略半円形状の複数の突起が隣接する領域、つまり突起間に生じる突起の最深部（図４における太線部分）では光が大きく屈折し、導光板２の隅部方向へと拡散される。
【００３１】
一方、入射面２Ａの両端領域２Ｅに在する突起１２は、対向する位置にＬＥＤ８がなく、光源３の有効入射領域ＡＲ（図１参照）からの出射光の内、外向の光が進行される。進行した光は、両端領域２Ｅの突起１２にほぼ屈折されることなく、出射の際の進行方向、つまり導光板２の隅部方向へと進行する。また、入射面２Ａの両端領域２Ｅに形成される突起１２の表面積は、中央領域２Ｆのそれよりも大きいため、進行された光を導光板２の隅部へとより拡散できる。
【００３２】
このように実施例の導光板２では、入射面２Ａの適所のみに突起を設けることで、入射面２Ａの中央領域２Ｆにおける入光効率を高めることができる。さらに、ＬＥＤ８の設置数または設置個所を限定することで、光源３の有効発光領域ＡＲを低減しながらも、光源３からの出射光を、導光板２の隅部へ十分に拡散することができる。つまり、導光板２の隅部において高い輝度を維持しつつ、導光板２の中心部の輝度をさらに高めることができ、輝度ムラの低減された導光板２となる。
【００３３】
ここで、突起の断面形状が半円形状と三角形状とで配光分布を比較するグラフを図５に示す。断面三角形状の突起の場合、傾斜角度が一定である斜面を備えているため、出射光が分光されやすい。これに対し、突起形状を断面半円形状とすることで、２方向に分割される光を分散することができ、配光の広がりを確認できた。
【００３４】
ただ、断面三角形状の突起１２は略半円形状のそれに比べて成形しやすい。上述したように、確かに、断面三角形状の突起１２間に位置する切り欠き部の頂点前方Ｄでは、光の２分割により暗部が生じてしまう。しかしながら、図６に示すように、徐々にサイズ変化をもたせた突起を複数並列させる場合、切り欠き部の頂点前方Ｄで生じた暗部は、近傍にある表面積の大きい突起１２の斜面１２Ａでもって屈折された光により、カバー可能である。したがって簡素な構造でありながら、導光板２の隅部へと配光できる優れた構造となる。
【００３５】
ところで、上述のように、突起は光の進行方向を屈折させ、配光を広げることができるが、一方で、輝度密度を低下させ、また反射した際の光損失を発生させる。さらに、屈折することで、反射光が所望以外の方向へ進行する虞もある。したがって突起を設ける個所を少なくし、かつその配光方向が正確であることが重要である。実施例の突起１２は図５で示したように配光の性能が高いため、広範囲に設ける必要がない。具体的には、発光面２Ｃには突起の加工をせず、入射面２Ａの一部のみに施している。これにより加工の手間を省略できる。また、光損失を抑制しつつ、発光面２Ｃの中央部から隅部まで全体に、十分な光を拡散することができる、輝度ムラの少ない導光板２となる。また、発光面側からは突起１２が視認されないため、意匠性が高まる。
【００３６】
さらに、光源３からの光損失を防止するため、ＬＥＤ８の発光観測面を構成するモールドの形状を所望の形状で突出させることができる。これにより、モールドと空気の界面での全反射が抑制され、発光素子からの光取りだし効率を向上させることができる。例えば曲面を有するモールド形状とし、この曲面と嵌合可能な入射面２Ａとすれば、ＬＥＤ８内での全反射を防止でき、さらに漏れ光を少なくしてＬＥＤの光を効率よく導光板内に入射させることも可能である。
【産業上の利用可能性】
【００３７】
本発明のサイドライト型面光源装置は、パーソナルコンピュータ向けモニターや薄型ＴＶ、自動車インストゥルメントパネル、携帯電話、デジタルカメラ、飛行機コックピットディスプレイ等の透過型液晶表示装置に設けられる照明装置に好適に利用できる。
【図面の簡単な説明】
【００３８】
【図１】実施例のサイドライト型面光源装置を示す分解斜視概略図である。
【図２】図１におけるＩＩ−ＩＩ’線における断面図である。
【図３】実施例に係る一部拡大平面図である。
【図４】実施例に係る一部拡大平面図である。
【図５】２種の突起形状による配光分布を示すグラフである。
【図６】実施例に係る一部拡大平面図である。
【図７】従来のサイドライト型面光源装置を示す一部分解斜視図である。
【図８】従来のサイドライト型面光源装置における光の配光方向を示す説明図である。
【符号の説明】
【００３９】
１…サイドライト型面光源装置
２…導光板
２Ａ…入射面
２Ｂ…反射面
２Ｃ…発光面
２Ｄ…光散乱面
２Ｅ…入射面の両端領域
２Ｆ…入射面の中央領域
２Ｉ…インク
３…光源
４…反射シート
５…光拡散シート
６、７…プリズムシート
８…ＬＥＤ
９…リフレクター
１２…突起
１２Ａ…斜面
１２Ｄ…突起の深さ
１２Ｗ…突起の幅
１０１…導光板
１０１Ａ…入射面
１０１Ｃ…出射面
１０２、１０３…突起
１０２Ａ、１０２Ｂ…斜面
１０８…光源
１０８Ａ…照明光が出射されない領域
ＡＲ…有効発光領域
Ｄ…切り欠き部の頂点前方
Ｌ…照明光
【図１】
2008103162.tif 000003
【図２】
2008103162.tif 000004
【図３】
2008103162.tif 000005
【図４】
2008103162.tif 000006
【図５】
2008103162.tif 000007
【図６】
2008103162.tif 000008
【図７】
2008103162.tif 000009
【図８】
2008103162.tif 000010